(57)【要約】【課題】本発明は、利用者の利便性を損なうことなく、商用電源４に対する負荷の一時的な増大を抑制することができるＡＴＭ１０、及びＡＴＭ１０の電源制御方法を提供することを目的とする。【解決手段】この発明は、操作・表示部１６と、紙幣入出金機構部１４と、商用電源４からの給電を常時出力する電源部２３と、商用電源４からの給電を蓄電するバッテリー２３３と、商用電源４からバッテリー２３３への給電をオン／オフする第１切換えスイッチ２３４と、バッテリー２３３の放電をオン／オフする第２切換えスイッチ２３５と、第１切換えスイッチ２３４及び第２切換えスイッチ２３５を制御する制御部２４とを備え、制御部２４を、利用者による入金ボタンの押下を検知すると、第１切換えスイッチ２３４をオフにし、第２切換えスイッチ２３５をオンにする構成としたＡＴＭ１０、及びＡＴＭ１０の電源制御方法であることを特徴とする。【選択図】図３
2013235360.tif 000002
【特許請求の範囲】
【請求項１】
取引にかかる利用者の入力操作を許容する操作入力部と、
利用者との取引媒体の授受を行う少なくとも１つの媒体授受部と、
商用電源からの給電を所定の各部に常時出力する常時電源部と、
前記商用電源からの給電を蓄電する蓄電部と、
前記商用電源から前記蓄電部への給電をオン／オフする第１切換え部と、
前記蓄電部の放電をオン／オフする第２切換え部と、
前記第１切換え部、及び第２切換え部を制御する電源制御手段とを備え、
該電源制御手段を、
前記利用者による所定の入力操作を検知すると、前記第１切換え部をオフにし、
前記第２切換え部をオンにする構成とした
自動取引装置。
【請求項２】
前記電源制御手段を、
前記所定の入力操作に対応する前記媒体授受部の動作が停止すると、前記第１切換え部をオンにし、前記第２切換え部をオフにする構成とした
請求項１に記載の自動取引装置。
【請求項３】
操作入力部により、取引にかかる利用者の入力操作を許容し、
少なくとも１つの媒体授受部により、利用者との取引媒体の授受を行い、
常時電源部で、商用電源からの給電を所定の各部に常時出力し、
蓄電部で、前記商用電源からの給電を蓄電して、
第１切換え部により、前記商用電源から前記蓄電部への給電をオン／オフするとともに、
第２切換え部により、前記蓄電部の放電をオン／オフし、
前記利用者による所定の入力操作を検知すると、前記第１切換え部、及び第２切換え部を制御する電源制御手段により、前記第１切換え部をオフにし、前記第２切換え部をオンにする
自動取引装置の電源制御方法。
【発明の詳細な説明】
【技術分野】
【０００１】
この発明は、例えば商用電源からの電力を蓄電するバッテリーを備え、商用電源に対する負荷を抑制するような自動取引装置、及び自動取引装置の電源制御方法に関する。
【背景技術】
【０００２】
昨今、ＡＴＭや両替機などの自動取引装置は、利用者の様々な要望に対応するため、処理可能な取引の増加、及び処理速度の向上など、多機能化、高性能化が図られている。このため、自動取引装置における消費電力が増加の傾向にある。
【０００３】
例えば、利用者との取引により現金の入出金動作、あるいは通帳記入動作などの取引状態における消費電力は、利用者による取引動作を受け付けていない待機状態の消費電力の７〜１０倍となる。つまり、商用電源に対する負荷が一時的に高くなる。
【０００４】
ところで、商用電力供給施設の事故や災害時のように、電力需要に対して安定した電力供給が困難となった際、電気事業法に基づき、電力需要の増加が見込まれる期間、時間帯における電力使用量が制限されることがある。
【０００５】
このような場合、自動取引装置を設置している金融機関や商業施設では、電力使用量を低減するために、自動取引装置の稼動台数を減らすなどの対応が必要となってくる。しかしながら、自動取引装置の稼動台数を減らすと、利用者の利便性が損なわれるなどの問題が生じるおそれがある。
【０００６】
そこで、消費電力が高くなるような高負荷動作に対して、商用電源に対する負荷を低減するような様々な技術が提案されている。  
例えば、特許文献１に記載の配電システム及びその制御方法は、商用電源から常時給電される第１系統の負荷と、電力ピーク時間帯のみバッテリーから給電される第２系統の負荷と、電力ピーク時間帯のみ給電停止する第３系統の負荷とに分割し、時間帯に基づいて各系統に電力を供給するとされている。
【０００７】
しかしながら、特許文献１に記載の配電システム及びその制御方法は、電力ピーク時間帯における自動取引装置の機能一部が制限され、利用者の利便性が損なわれるなどの問題が生じるおそれがある。
【先行技術文献】
【特許文献】
【０００８】
【特許文献１】特開平２０００−９２７１７号公報
【発明の概要】
【発明が解決しようとする課題】
【０００９】
本発明は、上述の問題に鑑み、利用者の利便性を損なうことなく、商用電源に対する負荷の一時的な増大を抑制することができる自動取引装置、及び自動取引装置の電源制御方法を提供することを目的とする。
【課題を解決するための手段】
【００１０】
この発明は、取引にかかる利用者の入力操作を許容する操作入力部と、利用者との取引媒体の授受を行う少なくとも１つの媒体授受部と、商用電源からの給電を所定の各部に常時出力する常時電源部と、前記商用電源からの給電を蓄電する蓄電部と、前記商用電源から前記蓄電部への給電をオン／オフする第１切換え部と、前記蓄電部の放電をオン／オフする第２切換え部と、前記第１切換え部、及び第２切換え部を制御する電源制御手段とを備え、該電源制御手段を、前記利用者による所定の入力操作を検知すると、前記第１切換え部をオフにし、前記第２切換え部をオンにする構成とした自動取引装置、及び自動取引装置の電源制御方法であることを特徴とする。
【発明の効果】
【００１１】
本発明により、利用者の利便性を損なうことなく、商用電源に対する負荷の一時的な増大を抑制することができる自動取引装置、及び自動取引装置の電源制御方法を提供することができる。
【図面の簡単な説明】
【００１２】
【図１】自動取引システムにおける構成を示す構成図。
【図２】ＡＴＭにおける内部構成を示すブロック図。
【図３】低負荷時における電源部の内部構成を示す構成図。
【図４】電力供給状態、及び消費電力を説明する説明図。
【図５】高負荷時における電源部の内部構成を示す構成図。
【発明を実施するための形態】
【００１３】
この発明の一実施形態を以下図面と共に説明する。  
図１は自動取引システム１における構成の構成図を示し、図２はＡＴＭ１０（自動取引装置）における内部構成のブロック図を示し、図３は低負荷時における電源部２３（常時電源部）の内部構成の構成図を示している。  
なお、図１において、ランプ・照明部１９、及びウェルカムランプ部２０の図示を省略するとともに、図２においてホストコンピュータ３の図示を省略している。
【００１４】
自動取引システム１は、図１に示すように、ホストコンピュータ３、及び通信回線２を介してホストコンピュータ３と接続したＡＴＭ１０で構成している。  
通信回線２は、ＬＡＮ回線、インターネット回線などで構成している。  
ホストコンピュータ３は、ＡＴＭ１０と同一店舗内あるいは遠隔地の本店などに設置するとともに、通信回線２を介して複数のＡＴＭ１０と取引にかかる各種情報の授受を行う機能を有している。
【００１５】
ＡＴＭ１０は、金融機関、あるいは商業施設などの店舗に設置され、利用者による操作、及びホストコンピュータ３との各種情報の授受によって現金の入出金等の取引を行うことができる自動取引装置である。
【００１６】
具体的には、ＡＴＭ１０は、図１に示すように、側面視略Ｌ字状の筐体における中ほどの高さにある水平操作面の前端に顧客センサ１７を配置し、水平操作面に紙幣入出金機構部１４（媒体授受部）、硬貨入出金機構部１５（媒体授受部）、操作・表示部１６（操作入力部）、及び生体認証機構部１８を配置し、水平操作面から上方に略垂直な垂直操作面にカード機構部１１、明細票機構部１２（媒体授受部）、通帳機構部１３（媒体授受部）、及び状態表示部２１を配置している。
【００１７】
より詳しくは、ＡＴＭ１０は、図２に示すように、カード機構部１１、明細票機構部１２、通帳機構部１３、紙幣入出金機構部１４、硬貨入出金機構部１５、操作・表示部１６、顧客センサ１７、生体認証機構部１８、ランプ・照明部１９、ウェルカムランプ部２０、状態表示部２１、回線接続部２２、電源部２３、及び制御部２４（電源制御手段）で構成している。
【００１８】
カード機構部１１は、利用者のキャッシュカードの挿入・排出する機能と、カード情報の読み取り書き込み機能とを有している。  
明細票機構部１２は、取引内容を明細票（取引媒体）に印字する機能と、印字した明細票を排出する機能とを有している。  
なお、カード機構部１１、及び明細票機構部１２は、図１に示すように、一体にして構成している。
【００１９】
通帳機構部１３は、利用者の通帳（取引媒体）の挿入・排出する機能と、通帳の情報を読み取る機能と、通帳に取引内容を印字する印字機能とを有している。  
紙幣入出金機構部１４は、紙幣（取引媒体）の入出金機能、識別機能、及び収納機能などを有している。
【００２０】
硬貨入出金機構部１５は、硬貨（取引媒体）の入出金機能、識別機能、及び収納機能などを有している。  
操作・表示部１６は、利用者の操作を受付ける機能と、各種操作案内を表示する機能とを兼ね備えたタッチパネルで構成している。
【００２１】
顧客センサ１７は、利用者がＡＴＭ１０に近づいたことを検知する機能と、利用者がＡＴＭ１０から離れたことを検知する機能とを有している。  
生体認証機構部１８は、利用者の静脈を読取る静脈読取機能と、キャッシュカードに記憶されている静脈データと照合して認証を行う認証機能を有している。
【００２２】
ランプ・照明部１９は、フリッカランプやＡＴＭ１０の照明などで構成し、後述する制御部２４の指示により、点灯、あるいは消灯する機能を有している。  
ウェルカムランプ部２０は、顧客センサ１７が利用者を検知すると、制御部２４の指示により、点灯、あるいは点滅する機能を有している。
【００２３】
状態表示部２１は、利用者に対して取引可能な取引種別を表示する機能を有している。  
回線接続部２２は、ＬＡＮカードなどで構成し、通信回線２に接続する機能と、通信回線２を介してホストコンピュータ３と各種情報の受送信を行う機能とを有している。
【００２４】
電源部２３は、商用電源４からの給電を受け付ける機能と、制御部２４を介して各部に常時給電する機能とを有し、図３に示すように、ＡＣ／ＤＣコンバーター２３１、停電検出回路２３２、バッテリー２３３（蓄電部）、第１切換えスイッチ２３４（第１切換え部）、第２切換えスイッチ２３５（第２切換え部）、及びダイオード２３６、２３７、２３８で構成している。
【００２５】
具体的には、ＡＣ／ＤＣコンバーター２３１は、商用電源４からの交流電流の入力を受け付ける機能と、交流電流を直流電流に変換する機能と、直流電流を出力する機能とを有している。なお、ＡＣ／ＤＣコンバーター２３１から伸びる端子Ａ、Ｂは、制御部２４に接続されているものとする。
【００２６】
停電検出回路２３２は、商用電源４からＡＣ／ＤＣコンバーター２３１への給電の遮断を検出する機能と、給電が遮断された場合第１切換えスイッチ２３４、及び第２切換えスイッチ２３５に対して開閉を指示する機能を有している。
【００２７】
バッテリー２３３は、商用電源４からの給電が突然遮断された際、放電することでＡＴＭ１０を継続して稼動させ、取引中の処理を安全に終了させることが可能な蓄電容量を有している。そして、バッテリー２３３は、第１切換えスイッチ２３４、及び第２切換えスイッチ２３５の開閉によって蓄電と放電とを行う、所謂バックアップ電源としての機能を有している。
【００２８】
第１切換えスイッチ２３４は、閉じることでＡＣ／ＤＣコンバーター２３１とバッテリー２３３との間を導通する機能と、開くことでＡＣ／ＤＣコンバーター２３１とバッテリー２３３との間の導通を遮断する機能とを有している。
【００２９】
第２切換えスイッチ２３５は、閉じることでバッテリー２３３を放電可能にする機能と、開くことでバッテリー２３３の放電を停止する機能とを有している。  
なお、第１切換えスイッチ２３４が閉じて、第２切換えスイッチ２３５が開いた状態を低負荷時の状態とする。
【００３０】
ダイオード２３６は、ＡＣ／ＤＣコンバーター２３１から制御部２４への電流を整流する機能を有している。  
ダイオード２３７は、ＡＣ／ＤＣコンバーター２３１からバッテリー２３３への電流を整流する機能を有している。  
ダイオードは２３８、バッテリー２３３から制御部２４への電流を整流する機能を有している。
【００３１】
制御部２４は、ＣＰＵ、及びメモリ等のハード構成と、プログラム、及びデータ等のソフト構成とで構成し、利用者がＡＴＭ１０を操作して取引を行う取引操作等の各種処理機能や、所定のバスを介して接続された後述する各部の動作、及び給電を制御する制御機能を有している。
【００３２】
このような構成のＡＴＭ１０において、ＡＴＭ１０が消費する消費電力について、図４、及び図５を用いて詳しく説明する。  
なお、図４は電力供給状態、及び消費電力を説明する説明図を示し、図５は高負荷時における電源部２３の内部構成の構成図を示している。
【００３３】
また、図４（ａ）は、商用電源４から電力供給状態を示し、図４（ｂ）はバッテリーＯＮ信号を示し、図４（ｃ）は、バッテリー２３３の放電による電力供給状態を示し、図４（ｄ）はＡＴＭ１０の消費電力を示し、図４（ｅ）は商用電源４の消費電力を示し、図４（ｆ）はバッテリー２３３の消費電力を示している。さらに、図４（ａ）から（ｆ）は、横軸を同一の時間軸で示している。
【００３４】
まず、図４（ａ）に示すように、時間Ｔ１において商用電源４から給電が開始され、かつ顧客センサ１７が利用者を検出していない場合、ＡＴＭ１０は、操作・表示部１６やウェルカムランプ部２０などを消灯するとともに、明細票機構部１２、通帳機構部１３、紙幣入出金機構部１４、及び硬貨入出金機構部１５などの動作を停止して、利用者による操作を受け付けるまで待機する待機状態にある。
【００３５】
この際、ＡＴＭ１０は、状態表示部２１による利用者に対して取引可能であることの表示、顧客センサ１７による利用者の接近を監視、制御部２４の機能維持、及び第１切換えスイッチ２３４を介して矢印Ｃの方向に導通してバッテリー２３３への給電動作などによって、図４（ｄ）に示すように、僅かに電力を消費している。なお、これを待機電力とする。
【００３６】
そして、顧客センサ１７が利用者を検知すると（図４中の時間Ｔ２）、ＡＴＭ１０の制御部２４は、ウェルカムランプ部２０の点灯や、操作・表示部１６に取引開始画面（図示省略）を表示させる。  
この取引開始画面には、利用者に対して取引操作の案内メッセージと、取引種別毎の取引ボタン、例えば、入金ボタン、出金ボタン、通帳記入ボタン、あるいは残高照会ボタンなどを表示している。
【００３７】
この際、ＡＴＭ１０の消費電力は、図４（ｄ）に示すように、ウェルカムランプ部２０、操作・表示部１６などの稼動により、待機電力に対して僅かに増加する。  
その後、利用者が取引開始画面に沿って取引ボタンを押下すると、制御部２４は、入金ボタン（所定の入力）、出金ボタン（所定の入力）、あるいは通帳記入ボタン（所定の入力）のいずれかの取引ボタンが押下されたかを判定する。すなわち、明細票機構部１２、通帳機構部１３、紙幣入出金機構部１４、及び硬貨入出金機構部１５が稼動する取引ボタンが押下されたかを検出する。
【００３８】
入金ボタン、出金ボタン、あるいは通帳記入ボタンのいずれかの取引ボタンが押下されたことを検出すると（図４中の時間Ｔ３）、制御部２４は、図４（ｂ）に示すように、バッテリーＯＮ信号を電源部２３に出力する。
【００３９】
電源部２３がバッテリーＯＮ信号を受信すると、図５に示すように、第１切換えスイッチ２３４が開いてバッテリー２３３とＡＣ／ＤＣコンバーター２３１との導通を遮断し、第２切換えスイッチ２３５が閉じてバッテリー２３３の電力を矢印Ｄの方向に放電可能にする。つまり、電源部２３は、バッテリーＯＮ信号を受信すると、商用電源４による商用電力と、バッテリー２３３の放電によるバッテリー電力とを出力する。
【００４０】
このため、ＡＴＭ１０は、明細票機構部１２、通帳機構部１３、紙幣入出金機構部１４、及び硬貨入出金機構部１５が稼動する取引ボタンが押下されると、商用電力とバッテリー電力の併用によって稼働する。
【００４１】
この際、ＡＴＭ１０が消費するピーク電力は、図４（ｄ）に示すように、明細票機構部１２、通帳機構部１３、紙幣入出金機構部１４、及び硬貨入出金機構部１５の稼働によって、待機電力の数倍に増大する。そして、図４（ｆ）に示すバッテリー２３３の放電によるバッテリー電力によって、商用電源４の消費電力は、図４（ｅ）に示すように、ＡＴＭ１０のピーク電力に対して少なくなる。
【００４２】
その後、明細票や貨幣の排出などが完了し、明細票機構部１２、通帳機構部１３、紙幣入出金機構部１４、及び硬貨入出金機構部１５が動作停止すると（図４中の時間Ｔ４）、制御部２４は、図４（ｂ）に示すように、バッテリーＯＮ信号の出力を停止する。
【００４３】
バッテリーＯＮ信号の出力が停止すると、図３に示すように、第１切換えスイッチ２３４が閉じてバッテリー２３３とＡＣ／ＤＣコンバーター２３１とが導通し、第２切換えスイッチ２３５が開いてバッテリー２３３の放電を停止する。このため、電源部２３は、図４（ｅ）及び（ｆ）に示すように、ＡＣ／ＤＣコンバーター２３１で直流電流に変換した商用電力のみを出力する。加えて、電源部２３は、バッテリー２３３への蓄電を開始する。
【００４４】
その後、利用者との取引が終了すると（図４中の時間Ｔ５）、ＡＴＭ１０が再び待機状態となり、ＡＴＭ１０の消費電力は、上述の待機電力まで低下する。
【００４５】
なお、利用者が入金ボタン、出金ボタン、あるいは通帳記入ボタン以外の取引ボタンを押下した場合、例えば、残高照会ボタンを押下した場合、制御部２４は、バッテリーＯＮ信号を出力することなく、商用電力のみで取引を継続する。
【００４６】
引き続き、商用電源４が停電等により突然遮断された場合について説明する。  
電源部２３の停電検出回路２３２がＡＣ／ＤＣコンバーター２３１への給電が遮断されたことを検知すると（図４中の時間Ｔ６）、図４に示すように、第２切換えスイッチ２３５が閉じてバッテリー２３３の電力を放電可能にする。
【００４７】
つまり、停電検出回路２３２が停電を検知すると、電源部２３は、図４（ａ）及び（ｃ）に示すように、バッテリー２３３の放電によるバッテリー電力のみを出力する。このため、ＡＴＭ１０は、バッテリー電力によって稼動する。
【００４８】
そして、ＡＴＭ１０は、取引処理中の取引データをハードディスク等に一時保存する、あるいは取引をキャンセルして投入されたキャッシュカードや貨幣を利用者に返却するなどしてから停止する。
【００４９】
その後、制御部２４の指示により、電源部２３は、第２切換えスイッチ２３５を開いて、バッテリー２３３の放電を停止する（図４中の時間Ｔ７）。
【００５０】
以上のような動作を実現するＡＴＭ１０、及びＡＴＭ１０の電源制御方法は、利用者の利便性を損なうことなく、商用電源４に対する負荷の一時的な増大を抑制することができる。  
具体的には、明細票機構部１２、通帳機構部１３、紙幣入出金機構部１４、及び硬貨入出金機構部１５は、印字動作、あるいは駆動モーターの回転駆動などにより、回線接続部２２や制御部２４などに比べて電源に対する負荷が高い。
【００５１】
さらに、利用者とＡＴＭ１０との取引は、平日昼間のようにある時間帯に集中することがある。このため、明細票機構部１２、通帳機構部１３、紙幣入出金機構部１４、及び硬貨入出金機構部１５が一斉に稼働するような取引、すなわち入金取引、出金取引、あるいは通帳記入などの取引が、複数のＡＴＭ１０で一斉に行われると、商用電源４に対する負荷が一時的に増大することになる。
【００５２】
そこで、商用電源４に対する負荷が高くなる取引ボタンが押下されると、ＡＴＭ１０は、第１切換えスイッチ２３４及び第２切換えスイッチ２３５をそれぞれ開閉することで、商用電力とバッテリー電力とを併用して稼働することができる。
【００５３】
これにより、ＡＴＭ１０は、商用電源４に対する負荷の一時的な増大を抑制することができる。さらに、商用電源４から常時給電することで、ＡＴＭ１０は、その一部機能を停止することなく、商用電源４に対する負荷の一時的な増大を抑制できるため、利用者の利便性を損なうことを防止できる。
【００５４】
加えて、ＡＴＭ１０は、商用電力とバッテリー電力とを併用して稼働するため、仮にバッテリー２３３の電力が尽きた場合でも、商用電源４によって取引を継続することができる。このため、ＡＴＭ１０は、長時間稼動可能な大容量バッテリーを用いることなく、商用電源４に対する負荷を抑制することができる。  
従って、ＡＴＭ１０、及びＡＴＭ１０の電源制御方法は、利用者の利便性を損なうことなく、商用電源４に対する負荷の一時的な増大を抑制することができる。
【００５５】
また、明細票機構部１２、通帳機構部１３、紙幣入出金機構部１４、及び硬貨入出金機構部１５が動作停止すると、ＡＴＭ１０は、第１切換えスイッチ２３４及び第２切換えスイッチ２３５をそれぞれ開閉することにより、ＡＴＭ１０が低負荷で動作している状態において、バッテリー２３３の蓄電を行うことができる。さらに、高負荷の取引が集中しても、バッテリー２３３の電力が早期に完全放電されることを防止することができる。
【００５６】
これにより、利用者が入金ボタン、出金ボタン、あるいは通帳記入ボタンを押下されると、ＡＴＭ１０は、商用電力とバッテリー電力との併用による稼動をより継続して行うことができる。
【００５７】
加えて、長時間稼動可能な大容量のバッテリーを用いることを不要にすることができ、かつバッテリー２３３がバックアップ電源としての機能を損なうおそれがない。  
従って、ＡＴＭ１０は、バッテリー２３３の蓄電と放電とを負荷状態に応じて行うことで、商用電源４に対する負荷の一時的な増大を抑制することができる。
【００５８】
また、利用者が入金ボタン、出金ボタン、あるいは通帳記入ボタン以外の取引ボタンを押下した場合、あるいは待機状態において、第１切換えスイッチ２３４及び第２切換えスイッチ２３５をそれぞれ開閉せず、商用電力で稼動することにより、ＡＴＭ１０は、バッテリー２３３の電力を温存することができる。
【００５９】
より具体的には、残高照会や待機状態のようにＡＴＭ１０が低負荷で動作している状態では、商用電源４に対する負荷も低い。このため、ＡＴＭ１０は、商用電力のみで稼動することで、バッテリー２３３の電力を温存することができる。これにより、バッテリー２３３のバックアップ電源としての機能を維持するとともに、蓄電と放電の繰り返しによるバッテリー寿命低下を抑制することができる。
【００６０】
また、商用電力とバッテリー電力とを併用することで、ＡＣ／ＤＣコンバーター２３１で発生する電気ノイズを低減することができる。これにより、制御部２４を介して各部に供給される電力の安定化を図るとともに、ノイズによる誤作動を防止することができる。
【００６１】
なお、上述の実施例において、商用電力とバッテリー電力とを併用する取引動作を入金ボタン、出金ボタン、あるいは通帳記入ボタンとしたが、これに限定せず、ＡＴＭ１０の消費電力が高くなる適宜の取引動作に適用してもよい。
【００６２】
また、商用電源４に対する負荷の高い取引動作に対して、商用電力とバッテリー電力とを併用したが、これに限定せず、商用電源４に対する負荷の低い取引動作に対して商用電力とバッテリー電力とを併用してもよい。
【００６３】
また、明細票機構部１２、通帳機構部１３、紙幣入出金機構部１４、及び硬貨入出金機構部１５が動作停止するまでバッテリー２３３を放電したが、これに限定せず、バッテリー電力を監視して第１切換えスイッチ２３４、及び第２切換えスイッチ２３５を適宜開閉してもよい。
【００６４】
例えば、バッテリー電力が一定値以下になれば、放電を停止して蓄電するようにしてもよい。これにより、万一、商用電源４が遮断された場合に安全に取引をキャンセル、あるいは停止させるだけの電力を確保することができる。
【００６５】
また、商用電力との併用動作中において、ＡＴＭ１０は、バッテリー２３３の電圧、あるいは電流を監視してバッテリー２３３の寿命診断を行うようにしてもよい。  
例えば、商用電力との併用動作中におけるバッテリー２３３の電圧変化を監視し、放電による電圧降下が著しい場合、制御部２４は、バッテリー２３３の寿命と判定するようにしてもよい。
【００６６】
さらに、バッテリー２３３の寿命と判定すると、制御部２４は、ＡＴＭ１０、あるいはホストコンピュータ３にエラーログとして記録するとともに、バッテリー２３３の交換を促すようにしてもよい。これにより、バッテリー２３３の寿命を早期に発見することができる。このため、商用電源４からの給電が遮断された際、バッテリー２３３の電力不足によって、処理中のデータやハードディスクなどの記憶装置が損傷することを防止できる。
【００６７】
また、電源部２３が商用電力とバッテリー電力との併用で電力を出力している際、商用電力とバッテリー電力とのバランス調整は、特開平８−２１４５４６に記載の技術を用いて行ってもよい。
【００６８】
具体的には、出力電流に応じてバッテリー２３３の出力電圧が降下し、ＡＣ／ＤＣコンバーター２３１が一定電圧を出力するものとすると、特開平８−２１４５４６に記載の技術によって、出力電流に対するＡＣ／ＤＣコンバーター２３１の電圧の波形を、出力電流に対するバッテリー２３３の電圧の波形と相似するように制御する。
【００６９】
そして、ＡＣ／ＤＣコンバーター２３１の波形、及びバッテリー２３３の波形に基づいて、電源部２３の一定出力電圧を得ることができるＡＣ／ＤＣコンバーター２３１の出力電流と、バッテリー２３３の出力電流とを算出する。
【００７０】
このようにして、バッテリー電力の変化に対して、ＡＣ／ＤＣコンバーター２３１の出力を適宜変化させながら、商用電力とバッテリー電力とのバランス調整を行ってもよい。
【００７１】
また、バッテリー２３３、第１切換えスイッチ２３４、及び第２切換えスイッチ２３５と電源部２３に一体にして構成したが、これに限定せず、適宜の構成としてもよい。例えば、電源部２３をＡＣ／ＤＣコンバーター２３１、停電検出回路２３２、第１切換えスイッチ２３４、及び第２切換えスイッチ２３５で構成し、バッテリー２３３を電源部２３と別体で構成としてもよい。
【産業上の利用可能性】
【００７２】
この発明は、ＡＴＭ、両替機、キャッシュディスペンサー、自動発券機、自動販売機などのような自動取引装置に適用することができる。
【符号の説明】
【００７３】
４…商用電源
１０…ＡＴＭ
１２…明細票機構部
１３…通帳機構部
１４…紙幣入出金機構部
１５…硬貨入出金機構部
１６…操作・表示部
２３…電源部
２４…制御部
２３３…バッテリー
２３４…第１切換えスイッチ
２３５…第２切換えスイッチ
【図１】
2013235360.tif 000003
【図２】
2013235360.tif 000004
【図３】
2013235360.tif 000005
【図４】
2013235360.tif 000006
【図５】
2013235360.tif 000007